(57)【要約】【課題】良好に駆動可能な自動操作可能なサイドウィンドウロールブラインド及びその取り付け方法の提供。【解決手段】巻取り軸（４３）と、第１のエッジにおいて巻取り軸に固定された、帯状ロールブラインド（４０）と、引出しプロフィール（４１）であって、帯状ロールブラインドの、第１のエッジに対向する、第２のエッジと作用結合され、帯状ロールブラインド（４０）を巻取り軸（４３）から引き出し可能ならしめる引出しプロフィールと、操作装置（５１、１０５、２０５、４０５、３５１）であって、引出しプロフィールを摺動可能ならしめる操作装置と、操作装置を駆動するための駆動装置（６、６１、２６１）と、を有するものにおいて、駆動装置が少なくとも部分的に巻取り軸（４３）の領域内に配置されている。【選択図】図２
2008222215.tif 000002
【特許請求の範囲】
【請求項１】
自動車の窓開口部のためのサイドウィンドウロールブラインドであって、
巻取り軸（４３）と、
第１のエッジにおいて巻取り軸（４３）に固定された、帯状ロールブラインド（４０）と、
引出しプロフィール（４１）であって、帯状ロールブラインド（４０）の、前記第１のエッジに対向する、第２のエッジと作用結合されており、帯状ロールブラインド（４０）を巻取り軸（４３）から引き出し可能ならしめる引出しプロフィール（４１）と、
操作装置（５１、１０５、２０５、４０５、３５１）であって、引出しプロフィール（４１）を摺動可能ならしめる操作装置、と、
前記操作装置（５１、１０５、２０５、４０５、３５１）を駆動するための駆動装置（６、６１、２６１）と、を有するものにおいて、
駆動装置（６、６１、２６１、４０６、５０６）が少なくとも部分的に巻取り軸（４３）の領域内に配置されている、
ことを特徴とする自動車の窓開口部のためのサイドウィンドウロールブラインド。
【請求項２】
駆動装置（６、６１、２６１、４０６、５０６）が、窓開口部（２３）の下方の端縁（２７）のすぐ下においてサイドドア（２）に配置可能であることを特徴とする請求項１に記載のサイドウィンドウロールブラインド。
【請求項３】
駆動装置が、電動機、特に電気的なギアモータ（６、４０６、５０６）を有している、ことを特徴とする請求項１または２に記載のサイドウィンドウロールブラインド。
【請求項４】
操作装置が、少なくとも１列のプロフィール、特に歯状の溝および／または突出部を備えた、少なくとも１つの縦に延びる操作手段（５１、５２）を有しており、
駆動装置が、操作手段（５１、５２）を駆動するための従動ホィール（６１）を有しており、
前記従動ホィールが操作手段のプロフィール内へ相補形状で嵌入する対応する相手側プロフィール、特に歯を、有している、
ことを特徴とする請求項１から３のいずれか１項に記載のサイドウィンドウロールブラインド。
【請求項５】
操作装置が、操作手段として少なくとも１つのラック（５１）を有しており、前記ラックが運動伝達のために引出しプロフィール（４１）と作用結合されている、ことを特徴とする請求項４に記載のサイドウィンドウロールブラインド。
【請求項６】
ラック（５１）が、弾性的に曲がる、ことを特徴とする請求項５に記載のサイドウィンドウロールブラインド。
【請求項７】
操作装置（１０５、２０５）が、操作手段として少なくとも１つの歯付きコード（５２）を有しており、前記歯付きコードが運動伝達のために引出しプロフィール（４１）と作用結合されている、ことを特徴とする請求項４に記載のサイドウィンドウロールブラインド。
【請求項８】
操作装置が、操作手段として、少なくとも１つの穴あきの長手プロフィール（８０、４８０）、特に金属薄板、好ましくはばね鋼薄板を有しており、それが運動伝達のために引出しプロフィール（４１）と作用結合されている、
ことを特徴とする請求項１から４のいずれか１項に記載のサイドウィンドウロールブラインド。
【請求項９】
操作装置が、ロープドライブおよび／または穴あきバンドドライブ（８）を有しており、それによって、操作装置の実質的に折り曲げ強い、少なくとも１つのロッド（３５１）が、引出しプロフィール（４１）を摺動させるように操作可能である、
ことを特徴とする請求項８に記載のサイドウィンドウロールブラインド。
【請求項１０】
帯状ロールブラインド（４０）の裁断片が、窓開口部（２３）の形状に少なくともほぼ相当する、ことを特徴とする請求項１から９のいずれか１項に記載のサイドウィンドウロールブラインド。
【請求項１１】
操作装置の操作手段、特にラック（５１）、歯付きコード（５２）、ロッド（３５１）および／または穴あきの長手プロフィール（４８０）が、少なくとも部分的にガイドレール内で案内されている、
ことを特徴とする請求項１から１０のいずれか１項に記載のサイドウィンドウロールブラインド。
【請求項１２】
操作装置の操作手段、特にラック（５１）、歯付きコード（５２）、ロッド（３５１）および／または薄板に、少なくとも部分的にガイドレールなしで、帯状ロールブラインド（４０）を引き出すための力を供給可能である、
ことを特徴とする請求項１から１０のいずれか１項に記載のサイドウィンドウロールブラインド。
【請求項１３】
操作装置が、引出しプロフィール（４１）を摺動させるために少なくとも２つの操作手段（５１、５２、３５１、４８０、８）を有しており、前記操作手段（５１、５２、３５１、４８０）の運動が同期化されている、
ことを特徴とする請求項１から１２のいずれか１項に記載のサイドウィンドウロールブラインド。
【請求項１４】
操作装置（５１、５２、３５１、４８０、８）の同期化が、巻取り軸に対して実質的に平行に配置された同期化軸（７）を用いて行われる、ことを特徴とする請求項１３に記載のサイドウィンドウロールブラインド。
【請求項１５】
自動車内にサイドウィンドウロールブラインドを取り付ける方法であって、
サイドウィンドウロールブラインド（４、１０４、２０４、３０４、４０４、５０４）が、
巻取り軸（４３）と、
第１のエッジにおいて巻取り軸（４３）に固定された、帯状ロールブラインド（４０）と、
引出しプロフィール（４１）であって、帯状ロールブラインド（４０）の、前記第１のエッジに対向する、第２のエッジと作用結合されていて、帯状ロールブラインド（４０）を巻取り軸（４３）から引き出し可能ならしめる、引出しプロフィール（４１）と、
操作装置（５１、１０５、２０５、４０５）であって、引出しプロフィール（４１）を摺動可能ならしめる操作装置と、
前記操作装置を駆動するための駆動装置（６、６１、２６１、４０６、５０６）と、
を有しているものにおいて、
駆動装置（６、６１、２６１、４０６、５０６）が、自動車のサイドドア（２）において、窓開口部（２３）の下方の端縁（２７）のすぐ下の領域内取り付ける、工程を含む、
ことを特徴とする自動車内にサイドウィンドウロールブラインドを取り付ける方法。
【発明の詳細な説明】
【技術分野】
【０００１】
本発明は、巻取り軸、第１の端縁において巻取り軸に固定された帯状ロールブラインド、ロールブラインドの第１の端縁と対向する第２の端縁と作用結合されているので、それを用いて帯状ロールブラインドを巻取り軸から引き出すことができる、引出しプロフィール、それを用いて引出しプロフィールを摺動させることができる、操作装置および操作装置を駆動する駆動装置を有する、自動車用のサイドウィンドウロールブラインドに関する。本発明は、さらに、自動車のサイドドアにサイドウィンドウロールブラインドを取り付ける方法に関する。
【背景技術】
【０００２】
サイドウィンドウロールブラインドは、従来技術（たとえば、特許文献１を参照）から知られており、サイドウィンドウロールブラインドは自動車のサイドドアに配置されており、電気的に遠隔操作で引き出しおよび／または引き込むことができる。引き込まれた状態において、サイドウィンドウロールブラインドはほとんど、サイドドアの内部ないしサイドドアのドア被覆の後方に消えてしまう。サイドウィンドウロールブラインドは、引出しプロフィールを有し、それを介してロールブラインドを巻取り軸から引き出すことができる。引出しプロフィールは、たとえば、駆動される構架を有する操作装置を介して移動可能である。構架を駆動するために、ギアモータが設けられており、それがサイドドアの下方の領域内に配置されている。ギアモータを用いて、サイドウィンドウロールブラインドは、たとえば運転者および／または車両の後部の乗客によって遠隔操作で操作することができる。
【特許文献１】欧州特許公開公報ＥＰ１１２３８４２Ａ２
【発明の開示】
【発明が解決しようとする課題】
【０００３】
本発明の課題は、操作装置の良好な駆動を可能にする、自動操作可能なサイドウィンドウロールブラインドを提供することである。本発明の他の課題は、自動車のサイドドアにサイドウィンドウロールブラインドを取り付ける方法を提供することである。
【課題を解決するための手段】
【０００４】
この課題は、巻取り軸と、第１のエッジにおいて巻取り軸に固定された、帯状ロールブラインドと、引出しプロフィールであって、帯状ロールブラインドの、第１のエッジに対向する、第２のエッジと作用結合されており、帯状ロールブラインドを巻取り軸から引き出し可能ならしめる引出しプロフィールと、操作装置であって、引出しプロフィールを摺動可能ならしめる操作装置、と、操作装置を駆動するための駆動装置と、を有するものにおいて、駆動装置を少なくとも部分的に巻取り軸の領域内に配置することにより解決され。
駆動装置を巻取り軸の領域に配置することによって、操作装置を小型に組み立てるように構成することが可能である。さらに、操作装置のための駆動装置が実質的にその作用領域内に配置されているので、長い力伝達距離を回避することができる。本発明の他の利点は、駆動装置および／または操作手段のためにサイドドアの内部にわずかなスペース需要しか生じないので、電気的に操作可能なサイドウィンドウ、ラウドスピーカーなどのような、他の構成部品をサイドドア内に問題なく内蔵することができることである。本発明によれば、特にコンパクトな組立て方法が得られる。操作装置は、予め組み立てられた構成ユニットとして提供することができる。それによって取付けまたは取外しの場合に取扱いが容易になる。従来技術に比較して、垂れ下がる軸は存在しない。
【０００５】
駆動は、たとえば、ばねモータ、空気式、油圧式および／または電動機を介して行われ、適切な操作手段を用いた駆動によって、引出しプロフィールが少なくとも帯状ロールブラインドを引き出すように移動可能である。ばねモータと称するのは、ばねなどが機械的なエネルギ蓄積器として用いられる、装置である。帯状ロールブラインドを巻上げることは、たとえば、巻取り軸に内蔵されたばねモータを介して可能である。他の形態においては、巻取りは駆動装置または、巻取り軸と作用結合された他の駆動装置によって支援可能である。
【０００６】
本発明の形態において、駆動装置はサイドドアにおいてサイドウィンドウの下方の端縁のすぐ下に配置することができる。サイドウィンドウの下方端縁のすぐ下方に取り付けることによって、良好な空間利用が可能である。巻取り軸は、ある形態において、カセット内に配置されている。駆動装置は、同様にカセットに配置することができる。ある実施形態において、巻取り軸はサイドウィンドウの下方の端縁に対して平行に配置されている。
【０００７】
本発明の他の形態において、駆動装置は、電動機、特に電気的なギアモータを有している。電動機は、良好に駆動可能および／または制御可能であるので、サイドウィンドウロールブラインドの自動化された操作を簡単な方法で自動車内に存在する制御装置のためのマネージメントに組み込むことができる。たとえば、サイドウィンドウロールブラインドを太陽光を検出するセンサ技術と結合することが考えられ、定めることができる値において、サイドウィンドウロールブラインドは自動的に付属のサイドウィンドウを遮光する。ギヤによって、電動機の回転数とトルクが、駆動軸のためのより低い回転数に変換される。
【０００８】
本発明の他の形態において、操作装置は、少なくとも１列のプロフィール、特に歯状の溝および／または突出部を有する縦に延びた操作手段を有しており、駆動装置は、操作手段を駆動するための従動ホィールを有しており、その従動ホィールが、操作手段のプロフィールへ相補形状で対応して嵌入する相手側プロフィール、特に歯を有している。プロフィールと相手側プロフィールとして、歯、切欠き、凹部、溝、穴、ピン、ウェブなどを設けることができる。歯車は、ある形態においては、ギアモータの駆動軸上に直接取り付けられる。駆動装置の本発明に基づく配置によって、巻取り軸の領域における操作手段の直接的な駆動が可能である。
【０００９】
本発明の他の形態において、操作装置は、少なくとも１つのラックを有しており、それが運動伝達のために引出しプロフィールと作用結合されている。駆動装置が巻取り軸の領域に直接配置されていることによって、ラックは巻取り軸の領域内で直接駆動されることができる。これが、良好で、損失のない力の投入を許す。さらに、ラックを比較的小さく形成することができ、長さは、帯状ロールブラインドの引出し長さに実質的に相当する。
【００１０】
本発明の展開において、ラックは、弾性的に曲がる。それによって、ラックをサイドドアの内部および／またはドア被覆の後方において湾曲したルートに沿って適切に案内することが可能である。
【００１１】
本発明の他の形態において、操作装置は、歯付きコードを有しており、それが、運動伝達のために引出しプロフィールと作用結合されている。歯付きコードと称するのは、本発明の主旨において、その厚みに比較して極めて細長いフレキシブルな力伝達手段であって、その力伝達手段によって引っ張り力も押圧力も伝達することができる。歯付きコードは、たとえば弾性的に曲がる、通常円筒状に形成されている心材と、心材の回りに巻かれて、斜め歯切りを形成するコイルとを有している。歯付きコードは、サイドウィンドウロールブラインドの引出しプロフィールを摺動させるために、十分な強度を有している。
【００１２】
本発明の他の形態において、操作装置は、操作手段として穴あきの細長いプロフィール、特に金属薄板を有しており、それが運動伝達のために引出しプロフィールと作用結合されている。穴あきの薄板は、サイドウィンドウロールブラインドを引き出す場合に薄板の折れ曲りを防止するために、十分な折曲げ強度を有している。折曲げ強度は、薄板に適切なプロフィールを設けることによって、さらに増大させることができる。駆動装置は、細長いプロフィールを駆動するための従動ホィールを有しており、その従動ホィールは、対応して相補形状で細長いプロフィールのプロフィール部内へ嵌入する相手側プロフィール、特に突出部を有している。
【００１３】
本発明の他の形態において、駆動装置はロープ駆動装置および／または穴あきバンド駆動装置として形成されており、それによって、操作装置の実質的に折曲げ強い少なくとも１つのロッドが引出しプロフィールを摺動させるように操作可能である。ロッドは、この目的のために、ある形態においては、穴あきバンドと機械的に作用結合されている。
【００１４】
本発明の他の形態において、帯状ロールブラインドの裁断片は、サイドウィンドウの形状に少なくともほぼ相当する。それによって、陽光の侵入を確実に阻止し、および／または良好な視線防止を提供することが可能である。
【００１５】
他の形態において、操作装置の操作部材、特にラック、歯付きコード、ロッドおよび／または薄板は、少なくとも部分的にガイドレール内で案内されている。ガイドレールは、たとえば、Ｂピラーに、および／またはＢピラーの領域に配置することができる。操作部材は、ある種の構架として形成することができる、引出しプロフィールの端部に作用する。
【００１６】
他の形態において、操作装置の操作部材、特にラック、歯付きコード、ロッドおよび／または薄板には、少なくとも部分的にガイドレールなしで、帯状ロールブラインドを引き出すための力を供給することができる。操作部材は、たとえば、引出しプロフィールの中央に作用することができる。操作部材の形態において、操作部材は、引き出される帯状ロールブラインドの騒音を発生させる振動を防止するために、十分な折曲げ強度を有している。本発明の他の実施形態において、他の安定化手段が設けられており、それは駆動されるように、あるいは引きずられるように形成することができる。
【００１７】
本発明の形態において、操作装置は、同期して移動可能な複数の操作部材を有しており、その場合に操作部材は共通の駆動装置によっておよび／または異なる駆動装置によって駆動することができる。
【００１８】
展開において、操作部材、たとえばロッドの運動は、同期化軸によって同期化されている。その場合に駆動装置、たとえばギアモータは、直接同期化軸に作用するように、配置することができ、その同期化軸は操作部材または操作手段を駆動する。他の形態において、駆動モータは、操作部材の１つに対応づけられ、それに対して他の操作部材は同期化軸によって駆動される。
【００１９】
課題は、さらに、巻取り軸、第１のエッジにおいて巻取り軸に固定された、帯状ロールブラインド、第１のエッジに対向する、帯状ロールブラインドの第２のエッジと作用結合されているので、引出しプロフィールによって巻取り軸から帯状ロールブラインドが引き出し可能となる、引出しプロフィール、引出しプロフィールを摺動可能にする、操作装置および自動車内で操作装置を駆動するための駆動装置を有する、サイドウィンドウロールブラインドを取り付ける方法によって解決され、その場合に駆動装置は自動車のサイドドアにおいて窓開口部の下方の端縁のすぐ下の領域に取り付けられる。サイドウィンドウロールブラインドの取付けは、サイドドアを前もって取り付けることの枠内で行うことができる。駆動装置を窓胸壁の領域に取り付けることによって、駆動装置の下方に、サイドドア内に内蔵すべき他の部材のための空間が残る。
【発明を実施するための最良の形態】
【００２０】
本発明の他の利点が、図面に図式的に示される本発明の実施例についての以下の説明から明らかにされる。図面において同一または同様な構成部分には、統一的な参照符号が使用される。請求項、明細書または図面から明らかにされるすべての特徴および／または利点は、処理ステップ、構造的詳細および空間的配置を含めて、それ自体についても、様々な組合せにおいても、発明的に重要であり得る。
【００２１】
実施例の一部として記載され、あるいは図示されている特徴は、本発明の他の実施形態を得るために、他の実施例において同様に使用することができる。
【００２２】
図１は、後方の右のサイドドア２の内側を見る視点で、自動車１の後部領域を一部切り開いて図式的に斜視図で示している。自動車１は、ルーフ１０を有しており、そのルーフから側方に自動車１のＢピラー１１が図示されていない床グループへ延びている。知られているように、該当するＢピラーは、図１には図示されていない、自動車１の左側にも設けられている。自動車１は、さらにＣピラー１２を有している。ルーフ１０は後ろエッジにおいてリアウィンドウ開口部１３へ移行しており、その中へ図示されないリアガラスを挿入することができる。Ｂピラー１１とＣピラー１２の間に右後方のサイドドア２が既知のように取り付けられ、特に継手止めされている。サイドドア２の高さに、リアシートベンチ３がある。
【００２３】
図１に見える、サイドドア２の、自動車１の室内を向いた内側は、インナトリム２０を有している。インナトリム２０にドアグリップ２１と、図示されていないドアロックのための操作爪が設けられている。ラウドスピーカーなどのような、図示されない他の部材を、同様にサイドドア２内に内蔵することができる。
【００２４】
サイドドア２は、窓開口部２３を有しており、その窓開口部はウェブ２６によって第１の部分２４と第２の部分２５に分割されている。その場合に、第２の部分２５は、いわゆる三角窓として形成されているので、窓開口部２３は実質的に台形である。窓開口部２３は、下方の端縁２７と上方の端縁２８を有しており、その場合に上方の端縁２８は通常、下方の端縁２７に対して平行に延びておらず、湾曲して延びることができる。窓開口部２３内へ、図示されていない２つに分かれたサイドウィンドウを挿入することができる。サイドウィンドウは、通常、少なくとも第１の部分２４において摺動可能である。
【００２５】
窓開口部２３は、さらに本発明に基づく、帯状ロールブラインド４０を有するサイドウィンドウロールブラインド４によって遮光することができる。本発明に基づくサイドウィンドウロールブラインド４は、引出しプロフィール４１を有しており、その引出しプロフィールによって帯状ロールブラインド４０を、図１に示されていない巻取り軸から引き出すことができる。引出しプロフィール４１は、操作装置によって移動可能である。図１に示す実施例において、操作装置は、ラック５１を有している。
【００２６】
図２は、図１に基づくサイドドア２を図式的に示している。同一の構成部分には、統一的な参照符号が使用され、これらの構成部分の詳細な説明は省かれる。図２に示す表示において、サイドドア２のインナトリム２０は部分的に切り開かれている。それによってサイドウィンドウロールブラインド４の、通常の使用においては見ることのできない部分を見ることができる。図２から明らかなように、サイドウィンドウロールブラインド４は、巻取り軸４３を有しており、その巻取り軸に帯状ロールブラインド４０が巻き取り可能かつ引き出し可能に固定されている。図２に示す表示において、帯状ロールブラインド４０は、部分的にだけ引き出されている。図２において認識できるように、帯状ロールブラインド４０は、巻取り軸４３上に巻き取る場合にスリット２９を介してサイドドア２のインナトリム２０の後方へ下降することができる。その場合に帯状ロールブラインド４０は、好ましい形態においては、インナトリム２０の後方に完全に沈み込むことができる。図２において認識できるように、図示の引出しプロフィール４１は、少なくとも部分的に湾曲しているので、引出しプロフィール４１は、覆うべき窓開口部２３の上方の端縁２８の推移に適合することができる。それによって付属のサイドウィンドウの良好な遮光が可能である。
【００２７】
引出しプロフィール４１は、引出しプロフィールを摺動させるため、そしてそれに伴って帯状ロールブラインド４０を巻取り軸４３から引き出すためにラック５１と作用結合されている。窓開口部２３の下方の端縁２７の領域内に、図２では見えないギアモータ６が配置されており、そのギアモータは、ラック５１を駆動するための、示されない歯車を有している。ラック５１の長さは、帯状ロールブラインド４０の引出し長さに実質的に相当する。ラック５１は、サイドドア２のわずかなスペースしか必要とせず、かつサイドドア内に簡単に内蔵することができる。駆動モータ６が直接下方の端縁２７に配置されていることによって、良好な力の投入が可能である。さらにラック５１の引き出される長さが最小限に抑えられるので、引き出す場合の折れ曲りの危険が減少される。ラック５１の代わりに、図示されない本発明の他の実施形態においては、穴あき薄板および／または、歯車による駆動のための歯状の溝および／または突出部を有する他の操作部材が設けられている。他の形態においては、引出しプロフィールを移動させるために空気式で駆動可能なロッドが設けられている。
【００２８】
図３は、本発明の第２の実施例に基づくサイドドアロールブラインド１０４を有する、図１に基づくサイドドア２を図式的に示している。サイドドアロールブラインド１０４は、図２に基づくサイドドアロールブラインドと同様であって、同一の構成部分には統一的な参照符号が使用される。これらの構成部分の詳細な説明は、省かれる。サイドドアロールブラインド１０４のための操作装置は、テレスコープバー１５１を有しており、それが引出しプロフィール４１に作用するので、図示の実施形態において引出しプロフィール４１は、帯状ロールブラインド４０を引き出すために窓開口部２３の上方の端縁２８の方向へ移動可能である。図示のテレスコープバー１５１は、図３には示されていない歯付きコードによって移動される。歯付きコードの駆動は、駆動手段を用いて、好ましくは図式的に示す電気的なギアモータ６を用いて行われる。図３に明らかなように、サイドウィンドウロールブラインド１０４のための本発明に基づく操作装置は、コンパクトに構成可能であって、それによって窓開口部の下方の端縁２７のすぐ近傍に取り付けることができる。
【００２９】
図４は、図３に示すサイドウィンドウロールブラインド１０４のための操作装置１０５を図式的に断面で示している。図４に明らかなように、テレスコープバー１５１は複数のパイプ状のテレスコープ部材または構成要素５１０、５１１を有しており、それらが互いに摺動可能に入り組んで結合されている。図４に示す実施形態において、最も小さい直径を有するテレスコープ部材５１１が、引出しプロフィール４１に対応づけられて、この引出しプロフィールと結合されている。もちろん、テレスコープバー１５１を逆の方位で配置することも考えられる。図４に明らかなように、テレスコープバー１５１内に歯付きコード５２が配置されている。歯付きコード５２は、図示の実施例において、テレスコープバー１５１に対して同心に配置されている。歯付きコード５２は、さらに、引出しプロフィール４１に対応づけられたテレスコープ部材５１１においてテレスコープバー１５１と結合されているので、歯付きコード５２の運動を引出し方向Ａにおいてテレスコープバー１５１へ伝達することができる。歯付きコード５２は、歯車６１を有する駆動装置によって駆動され、その場合に図示の実施例において歯付きコード５２は、歯車６１が時計方向に回転する場合に引出し方向Ａへ移動されるので、帯状ロールブラインド４０が引き出される。図示の歯車６１には、巻取り軸が形成されており、その巻取り軸上に歯付きコード５２が巻き取り可能である。歯車６１は、図示されていない電動機によって駆動され、その場合に、電動機の回転数とトルクを歯車６１に適した回転数と所望のトルクに変換するために、図示されないギアを設けることができる。
【００３０】
図５は、図４に示す実施例の変形に基づく操作装置２０５を有するサイドウィンドウロールブラインド１０４のための操作装置を図式的に示している。操作装置２０５は、図４に示す操作装置１０５に実質的に相当し、かつ同一の構成部分には統一的な参照符号が使用される。これらの構成部分の詳細な説明は、省かれる。図５に示す操作装置２０５は、さらに方向変換ローラ５３を有しており、その方向変換ローラによって歯付きコード５２が方向変換される。それによって、サイドドア２内の構造的制限を考慮するために、歯車６１と図示されない駆動装置を、図３に示すサイドドア２の適切な位置に配置することが可能である。
【００３１】
図６は、他のサイドウィンドウロールブラインド２０４を有する、図２に基づくサイドドア２を図式的に示している。サイドウィンドウロールブラインド２０４は、図２に示すサイドウィンドウロールブラインド４の変形であって、同一または同様な構成部分には統一的な参照符号が使用される。これらの構成部分の詳細な説明は、省かれる。図６に明らかなように、サイドウィンドウロールブラインド２０４の巻取り軸４３にギアモータ２６０が配置されている。その他、巻取り軸４３の領域に、ばねモータ２６１が配置されており、そのばねモータがラック５１を駆動する。引出しプロフィール４１は、図２に示す実施形態の場合と同様に、引出しプロフィール４１を摺動させ、それによって巻取り軸４３から帯状ロールブラインド４０を引き出すためにラック５１と作用結合されている。引出しは、図示の実施例においては、ばねモータ２６１の力に基づいて行われる。ばねモータ２６１は、たとえば板ばねを有することができる。巻取り軸４３上に帯状ロールブラインド４０を巻き取るために、巻取り軸がギアモータ２６０によって駆動される。その場合に巻取りは、ばねモータ２６１の力に抗して行われるので、巻き取る場合に帯状ロールブラインド４０のテンションが得られる。
【００３２】
図７は、本発明の他の実施例に基づく、サイドウィンドウロールブラインド３０４の穴あきバンドドライブ８を図式的に示している。サイドウィンドウロールブラインド３０４は、帯状ロールブラインド４０を有しており、その帯状ロールブラインドは図示されない巻取り軸上に巻き取り可能かつ引き出し可能に配置されている。帯状ロールブラインド４０の自由端部が、引出しプロフィール４１と結合されている。引出しプロフィール４１の摺動は、アンテナとも称される、実質的に折曲げ強いロッド３５１を用いて行われる。ロッド３５１は、図示の実施例においては案内されていない。しかし、ロッド３５１をたとえばサイドガイド内で案内することも考えられる。ロッド３５１は、運動を伝達するための穴あきバンド８０と作用結合されている。穴あきバンド８０は、たとえばばね鋼バンドなどとして形成されている。しかしその他に、穴あきバンドを皮革などから形成することも考えられる。穴あきバンド８０は、互いに対して固定の間隔で長手方向に配置された孔８００を有している。穴あきバンドドライブは、さらにディスク８１を有しており、そのディスクが図７には図示されていない駆動装置を介して駆動可能である。ディスク８１は突出部８１０を有しており、その突出部が穴あきバンド８０の穴８００内へ嵌入するので、ディスク８１の回転運動が穴あきバンド８０へ伝達される。穴あきバンド８０の自由端部８０１は、図７には図示されていないローラなどに巻き付けられる。穴あきバンド８０の自由端部８０１を巻き取るために、図示されていないローラを駆動することも考えられ、直接駆動されるディスク８１の代わりに、直接駆動されないディスクを設けることができ、そのディスクが穴あきバンド８０の巻取り運動に基づいて引きずられる。帯状ロールブラインド４０を引き込むための運動において、図示の実施例においてはロッド３５１がそれに固定された穴あきバンド８０と共に収容部８２内へ下降し、その収容部はこの目的に適した溝８２０、８２１を有している。穴あきバンド８０の代わりに、他の形態においては、ロープが設けられており、そのロープは、ある実施例においては、図４に示す歯付きコード５２として形成されている。
【００３３】
図８は、穴なきバンド４８０を有する、サイドウィンドウロールブラインドの操作装置４０５の他の形態を示している。穴あきバンド４８０は、巻取り軸４３から帯状ロールブラインド４０を引き出すための引出しプロフィール４１と直接作用結合されている。穴あきバンド４８０は、この目的に適した折曲げ強さを有し、かつ／または図示のように溝９０を有するガイドレール９内で案内されることができる。帯状ロールブラインド４０は、図示の実施形態においては、引出しプロフィール４１を取り付けるためのループ４００を有しており、その中へ引出しプロフィールを挿入することができる。穴あきバンド４８０の駆動は、ピン状の突出部８１０を有するディスク４８１を介して行われ、その突出部はディスク４８１から突出している。ピン状の突出部８１０は、穴あきバンド４８０の対応する穴４８８内へ嵌入する。ディスク４８１の駆動は、図示の実施例においては、駆動軸４６１を介して行われ、その駆動軸がギアモータ４０６によって駆動される。駆動軸４６１を介して、図示されない他のディスク４８１または他の操作部材を駆動することができる。穴あきバンド４８０の自由端部は、ローラ４６２上に巻き付けられる。ディスク４６１とローラ４６２は、ハウジング４６３内に軸承されており、そのハウジングはそれに対応する収容部４６４を有している。
【００３４】
図９は、本発明の他の実施例に基づくサイドウィンドウロールブラインド５０４を有する、後方左のサイドドア５０２を図式的に示している。サイドウィンドウロールブラインド５０４は、帯状ロールブラインド４０を有しており、それが巻取り軸４３上に巻き取り可能かつ引き出し可能に配置されている。帯状ロールブラインド４０の自由端部に、引出しプロフィール４１が設けられている。引出しプロフィール４１の摺動は、図示の実施例においては、図７に示す２本の折曲げ強いロッド３５１によって行われる。図示の実施例において、帯状ロールブラインド４０は、室内から見てロッド３５１の前に配置されている。他の形態においては、巻取り軸の回転方向は、図２、３および６におけるのとは逆であって、ロッド３５１が帯状ロールブラインド４０の前に配置されている。
【００３５】
ロッド３５１は、それぞれ図７に示す穴あきバンド８を介して駆動される。しかし、図９の右に示す穴あきバンドドライブ８を直接駆動するための、ギアモータ５０６のみが設けられている。図９の左に示す、第２の穴あきバンドドライブ８は、同様にギアモータ５０６によって駆動され、同期化軸７を用いて運動伝達が行われる。もちろん、駆動モータ４０６を、図８の左に示す穴あきバンドドライブ８に、あるいは穴あきバンドドライブ８の間の同期化軸７に配置することも、同様に考えられる。それによって組込み空間を最適化した配置が可能である。同時に、第２のロッド３５１によって、サイドウィンドウロールブラインド５０４の運動が安定化される。ロッド３５１は、帯状ロールブラインド４０を巻取り軸４３上に巻き取る場合に、それ用に設けられた収容レール８２内へ下降する。
【００３６】
図９に示すサイドウィンドウロールブラインド５０４の、図示されない他の変形例において、穴あきバンドドライブ８の代わりに、図２に示すラック５１による駆動、図４または５示す歯付きコード５２による駆動および／または図８に示す穴あきバンド４８０による駆動が設けられる。たとえばロッド３５１、図２に示すラック５１、図４と５に示す歯付きコード５２または図８に示す穴あきバンド４８０のような、操作手段を、さらに、ガイドレール内などで案内することができる。
【図面の簡単な説明】
【００３７】
【図１】後方の右のドアの内側を見る視点で、自動車の後部領域を一部切り開いて示す斜視図である。
【図２】第１の実施例に基づく本発明に係るサイドウィンドウロールブラインドを有する、図１に示す後方の右のドアを、一部切り開いて示す斜視図である。
【図３】図３は、第２の実施例に基づく本発明に係るサイドウィンドウロールブラインドを有する、図１に示す後方の右のドアを、一部切り開いて示す斜視図である。
【図４】図３に示すサイドウィンドウロールブラインドを断面で表示している。
【図５】図３に示すサイドウィンドウロールブラインドの断面の変形例を示している。
【図６】図２に示すサイドウィンドウロールブラインドの変形例を有する、図１に基づく後方の右のドアを示している。
【図７】穴あきバンドドライブを有するサイドウィンドウロールブラインドの操作装置を示している。
【図８】サイドウィンドウロールブラインドの操作装置の他の変形例を示している。
【図９】サイドウィンドウロールブラインドの他の実施例を有する後方左のサイドドアを図式的に示している。
【符号の説明】
【００３８】
２    サイドドア
３    リアシート
４，１０４，２０４，３０４    サイドウィンドロールブラインド
６    ギヤモータ
８    バンドドライブ
９    ガイドレール
１０    ルーフ
１１    Ｂピラー
１２    Ｃピラー
１３    リアウィンド
２０    インナトリム
２３    窓開口部
２６    ウェブ
２７    下方の端縁
２８    上方の端縁
２９    スリット
４０    帯状ロールブラインド
４１    引出しプロフィール
４３    巻取り軸
５１    ラック
５２    歯付きコード
５３    方向変換ローラ
６１    歯車
８０    穴あきバンド
８１    ディスク
８２    収容部
１０５，２０５    操作装置
１５１    テレスコープバー
２６０    ギアモータ
２６１    バネモータ
３５１    ロッド
４０６    ギアモータ
４６１    駆動軸
４６２    ローラ
４６３    ハウジング
４８０    穴あきバンド
４８１    ディスク
４８８    穴
５０４    サイドウィンドロールブラインド
５０６    ギアモータ
５１０，５１１    テレスコープ部材
【図１】
2008222215.tif 000003
【図２】
2008222215.tif 000004
【図３】
2008222215.tif 000005
【図４】
2008222215.tif 000006
【図５】
2008222215.tif 000007
【図６】
2008222215.tif 000008
【図７】
2008222215.tif 000009
【図８】
2008222215.tif 000010
【図９】
2008222215.tif 000011